(57)【特許請求の範囲】
【請求項１】
少なくとも２枚以上の引き違い戸において２枚の引き戸の重なり部分で相互に施解錠する引き戸用のロック装置であって、第１の引き戸に設けられる第１の係合部材と、第２の引き戸の前記第１の係合部材と対向する部分に設けられる第２の係合部材とを有し、
前記第１および第２の係合部材は、それぞれ、上面が開放された箱体、該箱体内をガイドされるように設けられる台座に固定され、外力により前記箱体から外部への突出、および前記箱体内への収納を自在に行い得るように設けられる第１のシャフトまたは第２のシャフト、および、前記箱体の上面に設けられ、前記第１または第２のシャフトの突起部を貫通し得ると共に、対向する相手方の係合部材からの第２または第１のシャフトの突起部を嵌合し得る嵌合孔が設けられた天板を有する構造であり、前記第１または第２のシャフトの突起部と相手方の前記天板の嵌合孔との係止または解除により、前記引き戸の前記第１の係合部材または前記第２の係合部材のいずれの側から施錠された場合でも、前記第１または第２の係合部材の他方の側からでも、誰もが解錠し得る構造であり、かつ、前記第１および第２の係合部材のそれぞれは、前記シャフトの台座と並置して解錠部材が設けられ、前記台座と前記解錠部材とがシーソー運動をすることができるように中心部が支持されたシーソー部材の両端部に係合され、押圧力のみで前記シャフトの突出および収納を行うことができ、前記箱体の底面側に、前記台座および前記解錠部材の部分に開孔を有する底板が設けられ、前記台座および前記解錠部材は前記底板から外部には突出しない構造である引き戸用のロック装置。
【請求項２】
前記第１のシャフトの突起部が前記第２の係合部材の嵌合孔に係止している際に、前記第２のシャフトに加えられる外力により前記第１のシャフトを押し戻して、前記第１のシャフトによる施錠を解除するように前記第１および第２の係合部材が取り付けられてなる請求項１記載の引き戸用のロック装置。
【請求項３】
前記第１および第２のシャフトのそれぞれは、突起部と、該突起部の高さよりも低い高さの肩部とが台座上に並んで設けられ、前記相手方のシャフトの前記突起部が、相互に前記肩部と対向するように前記第１および第２の係合部材が取り付けられてなる請求項１または２記載の引き戸用のロック装置。
【請求項４】
前記第１の係合部材および／または前記第２の係合部材の前記解錠部材に隣接してロック部材が設けられ、該ロック部材は、支軸と、該支軸の上部に固着されるストッパ部材と、該ストッパ部材の位置を回転させるため、前記支軸の下端部に固着して設けられる回転部材とからなる請求項１〜３のいずれか１項に記載の引き戸用のロック装置。
【発明の詳細な説明】
【技術分野】
【０００１】
本発明は、２枚以上の引き戸の重ね合せ部分で施解錠する引き戸用ロック装置に関する。さらに詳しくは、専用の鍵を用いることなく、引き戸の内側および外側の両方から簡単に施錠および解錠のどちらでも行うことができる引き戸用のロック装置に関する。
【背景技術】
【０００２】
従来の引き戸用のロック装置は、最も簡単な構造として、部屋の内側から棒状のシャフトをねじ込む構造のものが用いられていた。最近では、ねじ込む構造に代えて、レバーなどの回転により、またはスライド部材などのスライドによりフックを相手の引き戸に設けられた係合部材に係止させることにより施錠し、また、逆の動作により解錠する構造が一般的に用いられている（たとえば特許文献１参照）。このような構造例を図８に示す。
【０００３】
図８において、引き戸５１、５２の一部が重なり合った部分の引き戸５１にフック５３が設けられ、このフック５３は、スライド部材５６をスライドさせることにより、フック５３が引き戸５１内に収納されたり、引き戸５２側に突出したりするように回転運動をする機構になっている。そして、引き戸５２側には図８（ｂ）の断面説明図に示されるように、凹部５４が形成されると共に、その凹部５４内に設けられる係合部材５５にフック５３が係合するように形成されている。
【先行技術文献】
【特許文献】
【０００４】
【特許文献１】特開２００７−３３２６４１号公報
【発明の概要】
【発明が解決しようとする課題】
【０００５】
前述のように、従来の引き戸の重なり部分で施錠するロック装置は、いずれも引き戸の片方側（たとえば部屋の内部）から施錠する構造であり、家などの防犯上のロック装置の場合には、反対側から鍵を差し込んで解錠することは一般に行われているが、そのような鍵を専用に作らないと、反対側から解錠することができない構造になっている。
【０００６】
しかしながら、たとえば幼稚園で小さい子供たちを部屋内で自由に遊ばせながら、見ていなくても勝手に部屋から出て行かないように部屋に施錠をしたいという場合や、老人ホームなどでお年寄りが勝手に部屋から抜け出さないように部屋の引き戸をロックしたいというような場合には、上述した従来の厳密なロック装置を設ける必要は無く、むしろ多くの保母や職員などがその部屋に出入りしたり、部屋の内部に職員などがいながら部屋のロックをしておいて、第三者が外から入ったりする場合など、施錠した人以外に部屋の内外から容易に解錠して出入りをすることができるロック装置が求められている。このような場合、一々ロックを解除する鍵を作製して、関係者全員がその鍵を所持するのは管理上の面でも、また、使用面においても非常に面倒である。また、たとえば１個のドアを柱などに施錠する場合には、たとえば図８に示されるようなフックと係合部材との組合せで、そのフックの回転をドアの両側に連通した回転部材などにより回転させることで、どちらからでも施錠および解錠を行えるようにすることはできるが、引き違い戸の重なり部分でのロック装置としては、そのような構造を採用することもできない。仮に製作できたとしても扉と扉の隙間の設定が必要になる。
【０００７】
本発明は、このような状況に鑑みてなされたもので、非常に簡単な構造で、部屋の内外から施錠および解錠を容易に行うことができる簡単な構造の引き戸用のロック装置を提供することを目的としている。
【課題を解決するための手段】
【０００８】
本発明の引き戸用のロック装置は、少なくとも２枚の引き違い戸において２枚の引き戸の重なり部分で相互に施錠する引き戸用のロック装置であって、第１の引き戸に設けられる第１の係合部材と、第２の引き戸の前記第１の係合部材と対向する部分に設けられる第２の係合部材とを有し、前記第１および第２の係合部材は、それぞれ、上面が開放された箱体、該箱体内をガイドされるように設けられる台座に固定され、外力により前記箱体から外部への突出、および前記箱体内への収納を自在に行い得るように設けられる第１のシャフトまたは第２のシャフト、および、前記箱体の上面に設けられ、前記第１または第２のシャフトの突起部を貫通し得ると共に、対向する相手方の係合部材からの第２または第１のシャフトの突起部を嵌合し得る嵌合孔が設けられた天板を有する構造であり、前記第１または第２のシャフトの突起部と相手方の前記天板の嵌合孔との係止または解除により、前記引き戸の前記第１の係合部材または前記第２の係合部材のいずれの側から施錠された場合でも、前記第１または第２の係合部材の他方の側からでも、誰もが解錠し得る構造であり、かつ、前記第１および第２の係合部材のそれぞれは、前記シャフトの台座と並置して解錠部材が設けられ、前記台座と前記解錠部材とがシーソー運動をすることができるように中心部が支持されたシーソー部材の両端部に係合され、押圧力のみで前記シャフトの突出および収納を行うことができ、前記箱体の底面側に、前記台座および前記解錠部材の部分に開孔を有する底板が設けられ、前記台座および前記解錠部材は前記底板から外部には突出しない構造になっている。
【０００９】
ここに上面とか天板というのは、便宜上シャフトの突起部が突出する方向を上方としているだけで、その場合反対方向を底面または底板と呼んでいるが、上下方向を逆に定義することができることはいうまでもない。
【００１０】
前記第１のシャフトの突起部が前記第２の係合部材の嵌合孔に係止している際に、前記第２のシャフトに加えられる外力により前記第１のシャフトを押し戻して、前記第１のシャフトによる施錠を解除するように前記第１および第２の係合部材が取り付けられていることにより、たとえば部屋の外側からある人が引き戸の施錠をした場合でも、第三者が部屋の中から簡単に解錠することができる。
【００１１】
前記第１および第２のシャフトのそれぞれは、突起部と、該突起部の高さよりも低い高さの肩部とが台座上に並んで設けられ、前記相手方のシャフトの前記突起部が、相互に前記肩部と対向するように前記第１および第２の係合部材が取り付けられることにより、シャフトの突起部が突出する場合の貫通孔と、相手側のシャフトを挿入する嵌合孔とを異なる部分に形成することができるため、シャフトの突起部の長さを短くすることができ、引き戸の厚さが薄い場合でも、係合部材を引き戸の中に埋め込むことができる。
【００１２】
前記第１および第２の係合部材のそれぞれは、前記シャフトの台座と並置して解錠部材が設けられ、前記台座と前記解錠部材とがシーソー運動をすることができるように中心部が支持されたシーソー部材の両端部に係合され、押圧力のみで前記シャフトの突出および収納を行うことができる構造にすることにより、簡単な押圧力のみでロック装置の施錠および解錠を行うことができる。
【００１３】
前記第１の係合部材および／または前記第２の係合部材の前記解錠部材に隣接してロック部材が設けられ、該ロック部材は、支軸と、該支軸の上部に固着されるストッパ部材と、該ストッパ部材の位置を回転させるため、前記支軸の下端部に固着して設けられる回転部材とからなる構成にすることにより、回転部材を回転してストッパ部材を解錠部材上に位置させることにより、簡単に解錠を阻止することができる。
【発明の効果】
【００１４】
本発明のロック装置によれば、子供や老人には気づかれることなく、一般人には簡単に施錠および解錠を行うことができ、しかも、一般人の大勢が部屋の内外に拘わらず、簡単に施錠、解錠をすることができる。
【００１５】
また、一対の係合部材のシャフトが対向するように設けられることにより、施錠した側と反対側からでも解錠することができる。たとえば部屋の内側から第１の係合部材を用いて施錠されている場合に、部屋の外側にいる人は、第２の係合部材により施錠する行為を行う、すなわち第２のシャフトを突出させると、その第２のシャフトにより第１のシャフトが押し戻される。この際、第１のシャフトの突起部と第２のシャフトの突起部とが当接する位置に設けられていれば、第１のシャフトの突起部が第２のシャフトの嵌合孔から抜ける位置まで押せば、解錠することができる。しかし、その場合、突起部のリーチが長くなるため、たとえば突起部と相手方のシャフトの肩部とが当接するような位置関係で設けられていれば、第１のシャフトの突起部が第２の係合部材の嵌合孔から抜ける位置まで押し込むと第２のシャフトの突起部が第１の係合部材の嵌合孔に入り込んで、第２の係合部材側で施錠することになる。そのため、第２の係合部材を再度解錠する操作が必要となり、２度の押圧操作が必要となる。しかし、２度の押圧操作をするだけで簡単に反対側からも解錠することができる。
【図面の簡単な説明】
【００１６】
【図１】引き戸に本発明のロック装置を取り付けた状態の斜視説明図である。
【図２】図１に示される第１の係合部材の斜視説明図およびその底面図である。
【図３】第１および第２のシャフト部分のみを対向させた状態の側面図である。
【図４】本発明のロック装置の施錠していない状態を示す断面説明図である。
【図５】本発明のロック装置の第１の係合部材により施錠した状態を示す断面説明図である。
【図６】本発明のロック装置の第２の係合部材により施錠した状態を示す断面説明図である。
【図７】本発明のロック装置にロック部材を設けた実施形態を示す説明図である。
【図８】従来の引き戸用のロック装置の一例を示す説明図である。
【発明を実施するための形態】
【００１７】
つぎに、図面を参照しながら本発明の引き戸用のロック装置について、図１〜３を参照しながら説明をする。本発明による引き戸用のロック装置は、図１に示されるように、少なくとも２枚の引き違い戸において２枚の引き戸の重なり部分で相互に施錠するもので、第１の引き戸３１に設けられる第１の係合部材１０と、第２の引き戸３２の第１の係合部材１０と対向する位置に設けられる第２の係合部材２０とを有している。第１の係合部材１０は、図２および図３に示されるように、上面が開放された箱体１２内に、外力により箱体１２から外部への突出、および箱体１２内への収納を自在に行い得るように第１のシャフト１３が設けられている。そして、箱体１２の開放面には天板１１が設けられ、その天板１１には第１のシャフトを貫通し得ると共に、対向する相手方の係合部材２０からの第２のシャフト２３と嵌合し得る嵌合孔１１ａが設けられている。なお、第２の係合部材も第１の係合部材と同様の構成になっているのでその説明を省略するが、図１〜３に示される構造では、第１の突起部１３ａおよび肩部１３ｂと第２の突起部２３ａおよび肩部２３ｂとが図の上下で逆の位置関係になっており、第１の突起部１３ａと第２のシャフト２３の肩部２３ｂとが対向し、第２の突起部２３ａと第１のシャフト１３の肩部１３ｂとが対向する構造になっている。しかし、突起部同士が対向する構造にすることもできる。この場合、突起部同士を対向させると、突起部を収納する箱体の深さが突起部の長さ以外に、相手方の係合部材からの突起部を受け入れて嵌合孔と係止させる必要があるため、相手方の突起部を受け入れる長さ分、箱体の深さを深くする必要があるので大型化する。しかし、厚い扉であればそうすることも可能である。
【００１８】
第１の係合部材１０は、図１および図２に示される例では、第１のシャフト１３部分だけではなく、第１の突起部１３ａを引っ込める際に、突出させる場合と同様の押圧力のみで第１の突起部１３ａを引っ込めるようにするため、箱体１２と隣接してもう一つの第２の箱体１４が設けられ、その第２の箱体１４内に解錠部材１５が設けられている。この場合、箱体１２と第２の箱体１４とを一体で形成することもできる。
【００１９】
第１のシャフト１３は、図３に示されるように、たとえば台座１３ｃ上に棒状の第１の突起部１３ａと板状の肩部１３ｂとを固着することにより、金属材料またはプラスティックなどにより一体に形成されている。第１の突起部１３ａの長さは、ドアの厚さや２枚のドアの間隔などにより異なるが、たとえば２０〜３０ｍｍ程度の長さに形成され、この第１の突起部１３ａの先端と肩部１３ｂとの段差は、たとえば１０〜１５ｍｍ程度に形成される。この段差も、ドアとドアとの隙間の大きさによっても異なる。
【００２０】
台座１３ｃは、第１の突起部１３ａおよび肩部１３ｂを箱体１２内でガイドしながら、第１の突起部１３ａを突出させたり引っ込めたりする操作部としても機能する。そのため、この台座１３ｃは図２（ｃ）に底面図が示されるように、箱体１２の底板１２ａから露出するように設けられ、この台座１３ｃに押圧力を加えれば、台座１３ｃが押し上げられ、第１の突起部１３ａは天板１１の嵌合孔１１ａから突出する。そのため、この第１の突起部１３ａが突出する側に第２の係合部材２０が配置されていれば、その嵌合孔２１ａに係合して施錠される。
【００２１】
この台座１３ｃの裏側にツマミや、磁性体と永久磁石との組合せによる吸引部材などの引っ張り部材を設けておいて引っ張れば、コンパクトな構造で、小さな取付面積で取り付けることができ、第１の突起部１３ａを引き戻すことができ、簡単に解錠することができる(この点は第２の係合部材２０においても同様である)。しかし、前述のように、図２に示される例では、解錠部材１５が設けられており、台座１３ｃと解錠部材１５とがシーソー部材１６の両端に係合しているため、第１の突起部１３ａが突出している、すなわち台座１３ｃが押された状態では、解錠部材１５は底板１２ａ側にあり、解錠部材１５を押込めばシーソー部材１６により台座１３ｃが下がり、第１の突起部１３ａは箱体１２内に収納されて解錠される。この台座１３ｃには、箱体１２内をガイドするように、対向する側壁に凸部１３ｄが形成され、箱体１２に形成された溝１２ｂに沿って移動し、また、その側壁と９０°ずれた側壁には、シーソー部材１６を係合する凸部１３ｅが設けられ、シーソー部材１６の移動により生じる凸部１３ｅの移動をガイドする溝１２ｃが形成されている。また、解錠部材１５にも、シーソー部材１６と係合する凸部１５ｅが設けられ、第２の箱体１４にも溝１４ｃが形成されると共に、第２の箱体１４内を解錠部材１５が摺動できるように、凸部１５ｄが解錠部材１５の対向面に設けられ、第２の箱体１４にガイドする溝１４ｂが形成されている。このような解錠部材１５、２５を設けることにより、第１および第２の係合部材１０、２０が大きくなるが、押圧操作のみで簡単に施解錠をすることができる。
【００２２】
箱体１２は、台座１３ｃの上下方向移動のガイドとして設けられており、その底面には、底板１２ａが一体に形成されており、取付板として機能している。この底板１２ａは、前述のように、台座１３ｃおよび解錠部材１５が露出するように孔が開けられている。
【００２３】
天板１１は、前述のように、嵌合孔１１ａを有しており、第１の突起部１３ａが突出する嵌合孔と、対向する係合部材２０からの第２の突起部２３ａと係止する嵌合孔とが並んで設けられているため、図２（ｂ）に示されるように、長径の楕円形状に形成されている。
【００２４】
なお、第２の係合部材２０も第１の係合部材１０と殆ど同じ構造である（前述のように、図に示されている例では、第１の突起部１３ａと肩部１３ｂとの位置関係が異なる）ので、第１の係合部材１０の１０番台と第２の係合部材２０の２０番台とが異なるだけで、１番台は同じ部分には同じ符号を付してその説明を省略する。
【００２５】
つぎに、このロック装置の動作について説明をする。
【００２６】
図４は、第１の引き戸３１と第２の引き戸３２とが重なっているところで第１の係合部材１０と第２の係合部材とが対向しているが、施錠していない状態を示している。すなわち、第１の突起部１３ａは突出しないで底板１２ａ側に下りた状態で、箱体１２内に収納されており、解錠部材１５が上方に上がった状態になっており、解錠部材１５は天板１１側に上がった状態になっている。また、第２の係合部材２０の第２の突起部２３ａも同様に、底板２２ａ側に下りた状態で、突出することなく、箱体２２内に収納されており、解錠部材２５は天板２１側に上がった状態になっている。そのため、いずれの突起部１３ａ、２３ａも、相手方の天板１１、２１の嵌合孔１１ａ、２１ａとは、係合せず、いずれの引き戸３１、３２も自由にスライドすることができる。
【００２７】
つぎに、図５に示される状態は、引き戸３１側から施錠した状態を示している。すなわち、第１係合部材１０は、第１の突起部１３ａが突出した状態、すなわち台座１３ｃが外力により押し上げられた状態を示している。この際、解錠部材１５は、シーソー作用により底板１２ａ側に下がっている。その結果、第１の突起部１３ａと第２の係合部材２０の嵌合孔２１ａ（図２（ｂ）の１１ａ参照）とが係合し、いずれのドアも移動することができず、ロックされる。この際、第２の係合部材２０は、第２の突起部２３ａが下りた状態で、シーソー部材２６の作用により、解錠部材２５は上がった状態になっている。
【００２８】
つぎに、図５の第１の係合部材１０側からロックされた状態で、第２の係合部材２０側から解錠する方法について説明をする。まず、第２の係合部材２０の台座２３ｃを押圧することにより、第２の突起部２３ａおよび肩部２３ｂが持ち上げられる。その結果、第２の突起部２３ａが第１のシャフト１３の肩部１３ｂに当たり（または第２のシャフトの肩部２３ｂが第１の突起部１３ａに当たり）、さらに押圧力を加えることにより、第１のシャフト１３が押し戻される。その結果、図６に示されるように、第２の係合部材２０側からロックをした場合と同様の、第２の突起部２３ａが第１の係合部材１０の嵌合孔１１ａ（図２（ｂ）参照）と係合する。そのため、第２の係合部材２０側から施錠した状態になっており、解錠はされていない。この状態では、図６に示されるように、第２の係合部材２０の解錠部材２５は、底板２２ａ側に下りている。そのため、再度第２の係合部材２０の解錠部材２５を押圧することにより第２の係合部材２０の解錠部材２５が持ち上げられ、第２の突起部２３ａがシーソー部材２６の作用により下がる。その結果、図４に示される位置関係になり、解錠されて、ドアを開けることができる。すなわち、施錠した側（第１の係合部材側）と反対側（第２の係合部材側）から解錠する場合には、第２の係合部材の台座２３ｃを押圧して、さらに、解錠部材２５を押圧するという２ステップを必要とするが、容易に解錠することができる。
【００２９】
前述の各例では、施錠した人以外の誰でも簡単に解錠することができる構造であったが、子供や病人でも、学習効果により施解錠する方法を覚えることある。そのような場合でも、簡単には解錠することができないが、通常の大人には簡単に解錠することができるロック装置を設ける必要性もある。この例が図７に示されている。すなわち、図２（ａ）の第１の突起部１３ａと肩部１３ｂとの位置関係を変えて天板１１を除いた状態の上面図、側面図および底面図がそれぞれ示されるように、解錠部材１５の隣にロック部材４０が形成されている。
【００３０】
このロック部材４０は、図７（ｂ）に側面図が示されるように、支軸４１にストッパ部材４２が固着され、底板１２ａの裏面側の支軸４１に設けられた回転部材４３を回転することにより、支軸４１が回転し、それに伴って、ストッパ部材４２が解錠部材１５の移動を阻止する位置Ａ（図７（ａ）で０時の位置）または解錠部材１５と関係のない位置Ｂ（３時の位置）を選択することができるようになっている。施錠されている状態で、回転部材４３をＡの位置に回転させると、解錠部材１５の移動がストッパ部材４２の回転挿入により阻止されるため、解錠部材１５の裏側に押圧力を加えても、解錠部材１５を移動させることができない。その結果、第１の突起部１３ａを下げることができず、施錠状態を解除することができない。そして、ストッパ部材４２をＢの位置に回転部材４３により移動させれば、解錠部材１５を作動させることができ、解錠部材１５を押圧することにより、前述のように解錠することができる。なお、図７では、簡単な構成のみが示されているが、ストッパ部材４２が容易に動かないように、ストッパ部材４２に形成された図示しない凸部と、嵌合部材４４に設けられた図示しない凹部とを嵌合させて固定できるようになっており、嵌合部材４４と底面との間には、図示しないスプリングが挿入されている。なお、図２〜６に示される部分と同じ部分には、同じ符号を付してその説明を省略する。
【００３１】
なお、このようなロック部材４０が設けられて、作動しているときは、前述の施錠した側と反対側にいる人が解錠するという動作もできなくなる。そのため、どちらからでも解錠することができる、という効果は得られなくなる。しかし、徘徊者などを看護する当事者であれば部屋の外側からの必要不可欠の機能であることは、言うまでもない。よって、しっかりと施錠することが必要な場合には、このストッパ部材４２を作動させることにより簡単に簡易なロックをすることもできる。
【００３２】
以上のように、本発明によれば、厳密な施錠ではなく、一般人には簡単に、しかも部屋の内側からでも、外側からでも施錠または解錠を行うことができながら、子供や老人、病人などにはドアを開けることができないロック装置を非常に簡単な構造で実現することができる。
【符号の説明】
【００３３】
１０    第１の係合部材
１１    天板
１２    箱体
１３    第１のシャフト
１３ａ  第１の突起部
１３ｂ  肩部
１３ｃ  台座
１４    第２の箱体
１５    解錠部材
１６    シーソー部材
２０    第２の係合部材
２１    天板
２３    第２のシャフト
２３ａ  第２の突起部
２３ｂ  肩部
２３ｃ  台座
２５    解錠部材
３１    第１の引き戸
３２    第２の引き戸
【図１】
0005809404.tif 000002
【図２】
0005809404.tif 000003
【図３】
0005809404.tif 000004
【図４】
0005809404.tif 000005
【図５】
0005809404.tif 000006
【図６】
0005809404.tif 000007
【図７】
0005809404.tif 000008
【図８】
0005809404.tif 000009